(57)【要約】【課題】  本発明は、シンプルな構造で物理的強度が高く、組立作業が簡単な上、安定したダンパ効果を得られ、しかも超小型化も可能となる新規なダンパ装置及びこのダンパ装置を備えてなる開閉装置を提供することを目的とする。【解決手段】  流体を注入したケーシング、及び前記ケーシング内壁に沿って摺動するピストンからなるダンパ装置であって、該ダンパ装置における前記ピストンの側面周囲にはシール部材嵌入用の溝部が設けられてなり、特に、当該溝部の溝幅を前記シール部材の厚みより幅広にすると共に、当該溝部の底部の形状を前記ピストンの長さ方向に沿うテーパ状にしたことを特徴とするダンパ装置及びこのダンパ装置を備えてなる開閉機構。【選択図】  図５
2006300158.tif 000002
【特許請求の範囲】
【請求項１】
流体を注入したケーシング、及び前記ケーシング内壁に沿って摺動するピストンからなるダンパ装置であって、該ダンパ装置における前記ピストンの側面周囲にはシール部材嵌入用の溝部が設けられてなり、特に、当該溝部の溝幅を前記シール部材の厚みより幅広にすると共に、当該溝部の底部の形状を前記ピストンの長さ方向に沿うテーパ状にしたことを特徴とするダンパ装置。
【請求項２】
ピストンには、オリフィス通路が設けられてなる請求項１に記載のダンパ装置。
【請求項３】
ピストンには、バイパス通路が設けられてなる請求項１又は２に記載のダンパ装置。
【請求項４】
ピストンロッドが、ピストンを貫通して固定されてなる請求項１ないし３のいずれか１項に記載のダンパ装置。
【請求項５】
ピストンロッドを引いた際にダンパ効果が生じるように、溝部におけるテーパの方向を決定してなる請求項１ないし４のいずれか１項に記載のダンパ装置。
【請求項６】
請求項１ないし５のいずれか１項に記載のダンパ装置を備えてなる開閉機構。
【発明の詳細な説明】
【技術分野】
【０００１】
本発明は、主として一定範囲を移動ないし作動するように構成された可動体の動作などを制御するためのダンパ装置及びこのダンパ装置を備えてなる開閉機構に関する。
【背景技術】
【０００２】
一定範囲を移動ないし作動するように構成された可動体を動作させるにあたっては、その動作域の終点において、当該可動体及びこれに積載される物品に対して慣性力が生じるため、大きな衝撃音が生じたり、破損・変形の原因となったりする。
【０００３】
これは、主にこのような可動体が動作域の終点において急停止することから生じる問題であり、このような可動体の急停止を防止するために、エアダンパやオイルダンパなどのダンパ装置（ショックアブソーバ）を取り付け、前記可動体の移動ないし作動時における運動エネルギーを減衰することが一般的となっている。
【０００４】
このような可動体の動作を制御するダンパ装置の一例としては、図１の断面図に示すような直線運動式のものや、図２の断面図に示すような回転運動式のものなどを挙げることができる。
【０００５】
図１に示す直線運動式のダンパ装置１は、流体を注入した略筒状のケーシング（シリンダ）２、ピストン３及びピストンロッド４からなるダンパ装置１であり、前記ピストン３には、ピストン３の移動に伴って圧力室から非圧力室へ向かって一定量の流体が通過することができるオリフィス通路９が設けられる。
【０００６】
そして、図１に示すダンパ装置１は、ピストン３に対して図中Ａの方向に力が加えられると、ケーシング２内の作動流体は、ピストン３に設けたオリフィス通路９を通過して、圧力室である部屋２１側から非圧力室である部屋２２側へ流れ、ピストン３が前記Ａの方向に移動する。
【０００７】
このとき、作動流体がオリフィス通路９を通過する際に生じる抵抗力によって、ピストン３は前記Ａの方向とは逆方向への抵抗力を受け、運動エネルギーが減衰されてピストン３の移動速度はゆっくりとなり、これによりダンパ効果（制動力）が得られる仕組みとなっている。
【０００８】
又、ピストン３に対して図中Ａの反対方向に力が加えられた場合にあっては、ピストン３は前記Ａの方向への抵抗力を受けるのであり、即ち、図１に示すダンパ装置は、ピストン３に対していずれの方向から力が加えられても同様のダンパ効果が発現するのである。
【０００９】
一方、図２に示す回転運動式のダンパ装置１は、内壁に隔壁２３を突設した円筒状のケーシング２、当該ケーシング２に注入された流体、当該ケーシング２に対して回転可能に組み合わされたピストン（回転翼）３を備えたロータからなるダンパ装置１である。
【００１０】
そして、図２に示すダンパ装置１は、図中、右回りにロータが回転する力が加えられると、ピストン３とケーシング２内壁とが形成する極僅かの隙間（クリアランス）を通過してケーシング２内の作動流体が、圧力室側である部屋２１から非圧力室側である部屋２２へ流入し、ピストン３が回転方向に移動する。
【００１１】
このとき、作動流体がピストン３とケーシング２内壁とが形成する極僅かな隙間を通過する際に生じる抵抗力によって、ピストン３は回転方向とは逆方向への抵抗力を受け、運動エネルギーが減衰されてピストン３の移動速度はゆっくりとなり、これによりダンパ効果（制動力）が得られる仕組みとなっている。
【００１２】
又、左回りにロータが回転する力が加えられた場合にあっては、ピストン３はその回転方向とは逆方向への抵抗力を受けるのであり、即ち、図２に示す流体圧ダンパは、ロータに対していずれの回転方向に回転する力が加えられても同様のダンパ効果が発現するのである。
【００１３】
しかしながら、一般に可動体の移動ないし作動時における運動エネルギーの減衰が求められる状況は、引力などによる加速度が可動体に加わることによる可動体の急落等を防止するような場合が殆どであり、即ち、一般的に必要とされるダンパ効果は可動体が一方向に動作するときのみであり、他方へ動作する際には殆んど必要がない上、余計な抵抗が加わることは必ずしも要求されるものではない。
【００１４】
この点に鑑み、一方向の動作にのみダンパ効果を発揮するダンパ装置が開発されている（例えば、特許文献１、２。）。
【００１５】
【特許文献１】特開２０００−１４５８６９号公報
【特許文献２】特開２００１−８２５２２号公報
【００１６】
特許文献１に記載のダンパ装置は、ケーシングと、前記ケーシング内に配したピストンと、前記ケーシング内に封入した作動流体と、前記ピストンの移動に伴って前記作動流体が流れるオリフィス孔を設けた弾性体とで構成され、ダンパ作用をなす可動体の正動時には作動流体は通過せず、正動時と逆方向に動作する可動体の逆動時には作動流体が通過するバイパス流路を設けたことを特徴とするものである。
【００１７】
又、特許文献２に記載の流体式ダンパは、液体を注入した有底筒状のシリンダ内のピストンに連結されるピストンロッドを直線移動部と連結部とした直線移動型の流体式ダンパにおいて、ピストンには、その軸線方向と平行に貫通形成される液体流通路と、前記液体流通路の一方の端部にこの端部を閉塞し得るベーン部材を開閉移動自在に設け、前記ベーン部材には、前記閉塞した状態において前記液体流通路と連通する位置に一方の端面から他方の端面へ貫通するオリフィスが設けられていることを特徴とするものである。
【発明の開示】
【発明が解決しようとする課題】
【００１８】
しかしながら、特許文献１に記載のダンパ装置においては、弾性体装着部に装着された弾性体が抜け落ちることを防止するための凸状の脱落防止部が設けられているため、当該弾性体装着部に弾性体を装着する際には、この弾性体に対して相当な圧力を加えて変形し、脱落防止部の隙間からねじ込まなければならないといった頓雑な作業が必要となる。
【００１９】
又、特許文献２に記載の流体式ダンパにおいては、装着されたベーン部材が抜け落ちることを防止するための押さえ板がピストンとは別の部材で構成されていることから、部品点数が多くなりコスト高となるばかりか、使用中に押さえ板が破損したりする虞があり、更に、押さえ板をネジ等で取り付けるといった頓雑な作業が必要となる。
【００２０】
更に、特許文献１や特許文献２に記載されたダンパ装置においては、逆止弁ホールを設けたり、逆止弁部材の抜け落ちを防止するために、ピストン本体とは別部材の押さえ板を取り付けたり、逆止弁ホールの一端に凸状の脱落防止部を設けたりする必要があることから、ピストンの端面積が大きくなり、このため小型のダンパ装置を作成することが非常に困難になる。
【００２１】
そこで、本発明者は、このような問題を解決すべく鋭意検討を重ねた結果、流体を注入したケーシング、及び前記ケーシング内壁に沿って摺動するピストンからなるダンパ装置であって、該ダンパ装置における前記ピストンの側面周囲にはシール部材嵌入用の溝部が設けられてなり、特に、当該溝部の溝幅を前記シール部材の厚みより幅広にすると共に、当該溝部の底部の形状を前記ピストンの長さ方向へ沿うテーパ状にしたことを特徴とするダンパ装置（以下、本発明装置と称する。）を完成するに至ったのである。
【００２２】
即ち、本発明者は、この種ダンパ装置におけるピストンの側面周囲にわたってシール部材嵌入用の溝部を設け、特に、前記溝部の形状につき、溝幅を前記シール部材の厚みより幅広にすると共に、当該溝部の底部を前記ピストンの長さ方向へ沿うテーパ状にすることにより、該溝部に嵌入したシール部材が、ピストンの摺動に応じて、前後移動するように構成することができ、もって、ピストンの摺動方向に応じて、シール部材、ピストン及びケーシングが形成する隙間の大きさに差を生じさせることができるとの知見を得たのであり、これより、一方向の動作域にのみダンパ効果を発揮するダンパ装置を構築することができるとの知見を得たのである。
【００２３】
又、このような構成とすることにより、非常にシンプルな構造で物理的強度が高く、組立作業が簡単な上、安定したダンパ効果が得られるダンパ装置を構築できるとの知見を得たのである。
【００２４】
特に、本発明のダンパ装置においては、ピストンの側面周囲に設けた溝部にシール部材を嵌入するだけの単純な構成であり、逆止弁ホールを設けたり、ピストン本体とは別部材の押さえ板を取り付けたり、逆止弁ホールの一端に凸状の脱落防止部を設けたりする必要がないため、非常に超小型のダンパ装置の構築も可能になるとの知見も得たのである。
【００２５】
本発明は、上記知見に基づき完成されたものであり、シンプルな構造で物理的強度が高く、組立作業が簡単な上、安定したダンパ効果を得られ、しかも超小型化も可能となる新規なダンパ装置及びこのダンパ装置を備えてなる開閉装置を提供することを目的とする。
【課題を解決するための手段】
【００２６】
以上の課題を解決する手段である本発明装置は、流体を注入したケーシング、及び前記ケーシング内壁に沿って摺動するピストンからなるダンパ装置であって、該ダンパ装置における前記ピストンの側面周囲にはシール部材嵌入用の溝部が設けられてなり、特に、当該溝部の溝幅を前記シール部材の厚みより幅広にすると共に、当該溝部の底部の形状を前記ピストンの長さ方向へ沿うテーパ状にしたことを特徴とする。
以下、本発明装置について詳細に説明する。
【００２７】
本発明のダンパ装置は、流体を注入したケーシング及び前記ケーシング内壁に沿って摺動するピストンからなるものであれば特に限定されるものではなく、具体的に例えば、略筒状（シリンダ状）のケーシング、ピストン及びピストンロッドからなる直線運動式のダンパ装置や、内壁に１ないし複数の隔壁を突設した円筒状のケーシング及び当該ケーシングに対して回転可能に組み合わされた１ないし複数のピストン（回転翼）を備えたロータからなる回転運動式のダンパ装置などを挙げることができる。
【００２８】
又、このケーシングに注入する「流体」としては、本発明装置をオイルダンパとして構成する場合には、水や油等の各種液体から選ばれた少なくとも一種を適宜選択して用いることができ、本発明装置をエアダンパとして構成する場合には空気や窒素、酸素及び二酸化酸素等の各種気体から選ばれた少なくとも一種を適宜選択して用いることができる。
【００２９】
なお、本発明装置をエアダンパとして構成する場合には、必ずしも積極的に流体を注入する必要は無く、大気中にある空気を利用しても良いのであり、従って、本発明において「流体を注入する」とは、ケーシング内に流体を存在させるという意味である。
【００３０】
本発明装置において用いられる前記「ピストン」は、前記ケーシング内に嵌入されて、前記ケーシング内壁に沿って摺動すると共に該ケーシング内を二つの部屋（圧力室と非圧力室）に仕切り、前記二つの部屋内における流体の充填割合を変化させるものであり、その形状や材質については、本発明装置の使用の際に加えられる圧力に耐え得る物理的強度を有し、前記ケーシング内に嵌まり込み得ると共にケーシング内壁を沿って摺動できるものであれば特に限定されるものではないが、一般的には、ある程度の厚みがあり、ケーシングの断面形状などに応じた形状と大きさを有する金属製、プラスチック製或いは合成樹脂製などのピストンが用いられる。
【００３１】
又、本発明装置が直線運動式のダンパ装置の場合において用いられる前記「ピストンロッド」は、前記ピストンに取り付けられて、前記ピストンの摺動に応じて前記ケーシングからの突出距離を変化させるものであり、その形状や材質については、本発明装置の使用の際に加えられる圧力に耐え得る物理的強度を有するものであれば、特に限定されるものではないが、一般的には、金属製、プラスチック製或いは合成樹脂製の棒状体が用いられる。
【００３２】
そして、本発明装置においては、この種ダンパ装置における前記ピストンの側面周囲にシール部材嵌入用の溝部を設け、特に、前記溝部の形状につき、溝幅を前記シール部材の厚み（横幅）より幅広にすると共に、当該溝の底部を前記ピストンの長さ方向へ沿うテーパ状にした点に最も大きな特徴を有する。
【００３３】
即ち、本発明装置においては、シール部材嵌入用の溝部の形状につき、その溝幅を前記シール部材の厚みより幅広にしているから、前記溝部に嵌入したシール部材が、ピストンの摺動によって生じるケーシング内壁との摩擦力や流体による押圧により、溝部における前後いずれかの方向に移動することが可能となるようにすることができるのであり、又、当該溝部の底部を前記ピストンの長さ方向へ沿うテーパ状にしているから、シール部材の移動に応じて、シール部材、ピストン及びケーシングが形成する隙間の大きさに差を生じさせることができるのである。
【００３４】
言い換えれば、シール部材が当該溝部の浅い部分に位置するときには、流体が移動するための隙間が狭くなるために強いダンパ効果が発生するのであり、一方、シール部材が当該溝部の深い部分に位置するときには、シール部材の内側などに遊びが生じ、流体が移動するための隙間が広くなるためにピストンの移動がスムーズになるのであり、これより、一方向の動作域にのみダンパ効果を発揮するダンパ装置を構築することができるのである。
【００３５】
又、このような構成とすることにより、非常にシンプルな構造で物理的強度が高く、組立作業が簡単な上、安定したダンパ効果が得られるダンパ装置を構築できるのである。
【００３６】
特に、本発明のダンパ装置においては、ピストンの側面周囲に設けた溝部にシール部材を嵌入するだけの単純な構成であり、逆止弁ホールを設けたり、ピストン本体とは別部材の押さえ板を取り付けたり、逆止弁ホールの一端に凸状の脱落防止部を設けたりする必要がないため、非常に超小型のダンパ装置の構築も可能になるのである。
【００３７】
ここで、ピストンの側面周囲に設けるシール部材嵌入用の溝部については、その溝幅を前記シール部材の厚み（横幅）より幅広にすると共に、当該溝部の底部を前記ピストンの長さ方向へ沿うテーパ状にしたものであれば得に限定されるものではなく、従って、溝幅については、嵌入するシール部材の厚み（横幅）に応じて適宜決定すれば良いのであるが、その溝幅が広すぎるとシール部材の移動幅が大きくなってレスポンスが悪くなる上、ピストン端面の厚みが減ることによるピストン自体の物理的強度の低下が生じるため、この溝幅については、嵌入するシール部材の厚み（横幅）の１．１〜１０倍程度とすることが一般的であり、特に、１．５〜５倍程度とすることがより好ましい。
【００３８】
又、前記溝部の深さについては、当該溝部の底部がピストンの長さ方向へ沿うテーパ状となっているため、当該溝部において、溝の浅い部分と深い部分が必然的に存在することになる。
【００３９】
溝の浅い部分については、嵌入するシール部材の厚み（縦幅）に応じて適宜その深さを決定すれば良いのであるが、溝の深い部分が極端に深すぎるとシール部材の遊びが大きくなってシール部材が捩れたり、ひずんだりして戻りが悪くなり、安定したダンパ効果が発生しなくなる上、ピストン自体の物理的強度が低下することから、溝部における溝の深い部分の深さついては、溝の浅い部分の深さの１．１〜５倍程度とすることが一般的であり、特に、１．２〜３倍程度とすることがより好ましい。
【００４０】
ここで、ピストンに対して前記溝部を設ける手段としては、特に制限されるものではなく、例えば、ピストンを形成した後に溝部を旋盤などを用いて切り欠いても良いが、製造工程を減らすことによる低コスト化を実現するために、ピストンを加工する際の金型成型などにおいて、ピストン本体と一時に溝部を形成することが好ましい。
【００４１】
なお、前記溝部に嵌入されるシール部材としては、シリコンゴムやネオプレンゴムなどの非線形弾性体を当該溝部に嵌入し得る形状に形成したものを使用することが好ましく、通常は、Ｏ−リングに代表されるスクイーズパッキンを使用することが一般的となる。
【００４２】
又、本発明装置においては、シール部材の破損や変形を防止するために、前記シール部材と共にバックアップリングなどの補強部材を溝部に備えても良い。
【００４３】
ところで、本発明装置においては、シール部材が溝部における溝の浅い部分に位置した際に、流体が移動するための隙間が狭くなるために強いダンパ効果が発生するのであるが、当該シール部材が流体の移動するための隙間を完全に塞いでしまう場合があり、このような場合にあっては非常に大きなダンパ効果が発現するために、このダンパ装置を備えた可動体等の動作に必要以上に大きなブレーキがかかり、かえって取り扱い性が悪くなるといった問題が発生する虞がある。
【００４４】
そこで、本発明装置においては、シール部材が流体の移動するための隙間を完全に塞いでも、一定の流体移動量が確保されるように、ピストンに対して、該ピストンによって仕切られたケーシング内の二つの部屋の一方からもう一方の部屋へ流体が移動可能となるオリフィス通路（小径の貫通孔）を設けることが好ましい。
【００４５】
即ち、ピストンに対して、オリフィス通路を設けることにより、シール部材が流体の移動するための隙間を完全に塞いでも、前記オリフィス通路を介して圧力室から非圧力室へ一定量の流体が移動可能となるのであり、これより、ダンパ効果が過剰になることを防止することができるのである。
【００４６】
又、このオリフィス通路の内径が実質的に発生するダンパ効果を決定することから、オリフィス通路の内径を調整することにより、所望のダンパ効果を得ることが可能となるのである。
【００４７】
なお、このオリフィス通路の設置位置としては、特に限定されるものではないが、ピストンとピストンロッドとの接続の邪魔にならず、又、シール部材の移動位置に影響されること無く、一定の流体移動量を常に確保するために、通常は、溝部における溝の浅い方側に位置するピストンの端面からピストンに設けた溝部におけるテーパ面の中程辺りに向かって貫通するように設置することが好ましい。
【００４８】
一方、本発明装置においては、一方、シール部材が溝部の深い部分に位置するときに、流体が移動するための隙間が広くなるためにピストンの移動がスムーズになるのであるが、この際の流体の移動をより一層スムーズにするために、ピストンにバイパス通路を設けることが好ましい。
【００４９】
このバイパス通路の例としては、ピストンの側面における１ないし複数箇所に設けた切り欠きや、溝部における溝の深い方に位置するピストンの端面から溝部の側面に向かって貫通する１ないし複数個の貫通孔（流体の逃げ穴）などを挙げることができる。
【００５０】
なお、ピストンに対して前記オリフィス通路や前記バイパス通路を設ける手段としては、特に制限されるものではなく、例えば、ピストンを形成した後にオリフィス通路やバイパス通路を設けても良いが、製造工程を減らすことによる低コスト化を実現するために、ピストンを加工する際の金型成型などにおいて、ピストン本体と一時にオリフィス通路やバイパス通路を形成することが好ましい。
【００５１】
ところで、この種ダンパ装置においては、ピストンへのピストンロッドの接続につき、ピストンロッドがピストンを貫通した状態で固定することが、強度的な観点から好ましい。
【００５２】
特に、ピストンロッドを引いた際にダンパ効果が生じるように構成する場合においては、ピストンロッドを引っ張る力とダンパ効果による制動力がピストンとピストンロッドの接続位置に集中して掛かることから、ピストンロッドがピストンを貫通した状態で固定し、一定以上の接続強度を確保することが必要になる。
【００５３】
しかしながら、従来公知の逆止弁機構を設けたダンパ装置においては、逆止弁ホールがピストン内部において大きな容積を占める上、逆止弁部材の抜け落ちを防止するために、ピストン本体とは別部材の押さえ板を取り付けたり、逆止弁ホールの一端に凸状の脱落防止部を設けたりする必要があり、これより、ピストンとピストンロッドの接続につき、ピストンロッドがピストンを貫通するスペースを確保することが非常に困難となり、又、何とか貫通させても、ピストンに肉薄の部分が生じ、ピストン自体の剛性が確保できなくなるといった問題が生じる。
【００５４】
この問題は、ピストンの端面積が小さい小型のダンパ装置において、特に顕著に現れる。
【００５５】
そのため、従来公知の逆止弁機構を設けたダンパ装置においては、ピストンロッドがピストンを貫通した状態で固定されているものは事実上無く、当然、ピストンロッドを引いた際にダンパ効果が生じるように逆止弁機構を設けたものは存在していないのである。
【００５６】
この点につき、本発明装置においては、ピストンの側面周囲に設けた溝部にシール部材を嵌入するだけの単純な構成であり、逆止弁ホールを設けたり、ピストン本体とは別部材の押さえ板を取り付けたり、逆止弁ホールの一端に凸状の脱落防止部を設けたりする必要がないため、ピストンとピストンロッドの接続につき、ピストンロッドがピストンを貫通するために充分なスペースを確保することができる上、ピストンロッドがピストンを貫通した状態で固定しても充分な剛性をピストンに確保することができるのである。
【００５７】
そして、本発明装置は、ピストンロッドがピストンを貫通した状態で固定することができるから、ピストンロッドを引いた際にダンパ効果が生じるように、ピストンに設ける溝部のテーパの方向（先細る向き）を決定することも可能となるのである。
【００５８】
次に、本発明の開閉機構について詳細に説明する。
【００５９】
本発明の開閉機構は、前記本発明装置を備えてなることを特徴とするものであり、更に詳しくは、ドアや各種収納ケースの蓋のような、基部に対して蓋材が開閉可能に取り付けられた開閉機構において、特に、前記蓋材の開動作又は閉動作に対してダンパ効果を与えるべく、本発明装置を１ないし複数個備えたものである。
【００６０】
そして、前記本発明装置が小型化可能なことから、本発明の開閉機構においては、本発明装置の備え付けに要するスペースを比較的小さくすることが可能となるのである。
【００６１】
特に、前記本発明装置は、ピストンロッドを引いた際にダンパ効果が生じるように構成することもできることから、ダンパ装置の選択範囲が広く、これより、本発明の開閉機構においては、複雑なリンク機構を設けることなく、本発明装置を直接取り付けることもできるのである。
【発明の効果】
【００６２】
本発明は、前記構成を有し、シンプルな構造で物理的強度が高く、組立作業が簡単な上、安定したダンパ効果を得られ、しかも超小型化も可能となる新規なダンパ装置である。
【００６３】
即ち、本発明装置は、流体を注入したケーシング、及び前記ケーシング内壁に沿って摺動するピストンからなるダンパ装置において、前記ピストンの側面周囲にシール部材嵌入用の溝部を設け、特に、前記溝部の形状につき、溝幅を前記シール部材の厚みより幅広にすると共に、当該溝部の底部を前記ピストンの長さ方向へ沿うテーパ状にすることにより、当該溝部に嵌入したシール部材が、ピストンの摺動に応じて、前後移動するように構成することができ、もって、ピストンの摺動方向に応じて、シール部材、ピストン及びケーシングが形成する隙間の大きさに差を生じさせることができるのであり、これより、一方向の動作域にのみダンパ効果を発揮するダンパ装置を構築することができるのである。
【００６４】
又、このような構成とすることにより、非常にシンプルな構造で物理的強度が高く、組立作業が簡単な上、安定したダンパ効果が得られるダンパ装置を構築できるのである。
【００６５】
特に、本発明装置においては、ピストンの側面周囲に設けた溝部にシール部材を嵌入するだけの単純な構成であり、逆止弁ホールを設けたり、ピストン本体とは別部材の押さえ板を取り付けたり、逆止弁ホールの一端に凸状の脱落防止部を設けたりする必要がないため、非常に超小型のダンパ装置の構築も可能になるのである。
【００６６】
更に、本発明装置は、ピストンロッドがピストンロッドを貫通した状態で固定することができるから、ピストンロッドを引いた際にダンパ効果が生じるように構成することも可能となるのである。
【００６７】
本発明の開閉機構は、本発明装置を備えてなることを特徴とするものであり、本発明のダンパ装置が小型化可能なことから、本発明装置の備え付けに要するスペースが比較的小さくなるという利点を有するのである。
【００６８】
特に、本発明装置は、ピストンロッドを引いた際にダンパ効果が生じるように構成することもできることから、当該装置の選択範囲が広く、これより、本発明の開閉機構においては、複雑なリンク機構を設けることなく、本発明装置を直接取り付けることもできるのである。
【発明を実施するための最良の形態】
【００６９】
以下、本発明の実施例を説明するが、本発明はこの実施例に限定されるものではない。
【実施例１】
【００７０】
図３は、実施例１に係る本発明のダンパ装置１を示す模式図であり、このダンパ装置１は、流体を注入したケーシング２、ピストン３及びピストンロッド４からなる直線運動式のダンパ装置１である。
【００７１】
図３（ｃ）の斜視図に示すように、本実施例に係る本発明のダンパ装置１におけるピストン３には、その側面周囲にシール部材嵌入用の溝部５が設けられており、当該溝部５にはシール部材６としてのＯ−リング及びバックアップリング７が嵌入される。
【００７２】
又、本実施例においては、前記溝部５の形状につき、溝幅を前記シール部材６の厚みより幅広にすると共に、当該溝部５の底部を前記ピストン３の長さ方向へ沿うテーパ状としている。
【００７３】
更に、本実施例にかかる本発明のダンパ装置１においては、ピストンロッド４がピストン３を貫通した状態でナット８を用いて固定することにより、一定以上の接続強度を確保している。
【００７４】
そして、図３（ａ）に示すように、本実施例に係るダンパ装置１は、ピストン３に対して図中Ａの方向に力が加えられると、溝部５に嵌入されたシール部材６（及びバックアップリング７）が、当該溝部５における溝の浅い部分に移動するために、流体が移動するための隙間が狭くなる。
【００７５】
このため、圧力室となる部屋２１から非圧力室となる部屋２２への流体の移動が制限され、その際に生じる抵抗力によって、ピストン３は前記Ａの方向とは逆方向への抵抗力を受けることから、運動エネルギーが減衰され、ダンパ効果が得られる仕組みとなっている。
【００７６】
一方、図３（ｂ）に示すように、ピストン３に対して図中Ｂの方向に力が加えられると、溝部５に嵌入されたシール部材６（及びバックアップリング７）が、当該溝部５における溝の深い部分に移動するために、流体が移動するための隙間が広くなる
【００７７】
このため、流体が当該隙間を通過して圧力室となる部屋２２から非圧力室となる部屋２１へ移動することが可能となり、その際に殆んど抵抗力が生じないことから、ピストン３の動きがスムーズになる。
【実施例２】
【００７８】
図４は、実施例２に係る本発明のダンパ装置１を示す模式図であり、このダンパ装置１は、流体を注入したケーシング２、ピストン３及びピストンロッド４からなる直線運動式のダンパ装置１である。
【００７９】
図４（ｃ）の斜視図に示すように、本実施例に係る本発明のダンパ装置１におけるピストン３には、その側面周囲にシール部材嵌入用の溝部５が設けられており、当該溝部５にはシール部材６としてのＯ−リング及びバックアップリング７が嵌入される。
【００８０】
又、本実施例においては、前記溝部５の形状につき、溝幅を前記シール部材６の厚みより幅広にすると共に、当該溝部５の底部を前記ピストン３の長さ方向へ沿うテーパ状としている。
【００８１】
更に、本実施例にかかる本発明のダンパ装置１においては、ピストンロッド４がピストン３を貫通した状態でナット８を用いて固定することにより、一定以上の接続強度を確保している。
【００８２】
加えて、本実施例においては、溝部５における溝の浅い方に位置するピストン３の端面から溝部５におけるテーパ面の中程辺りに向かって貫通するオリフィス通路９が設けられている。
【００８３】
即ち、図４に示す本実施例に係るダンパ装置１は、ピストン３にオリフィス通路９を設けた点以外は、実施例１と同様のものといえる。
【００８４】
そして、図４（ａ）に示すように、本実施例に係るダンパ装置１は、ピストン３に対して図中Ａの方向に力が加えられると、溝部５に嵌入されたシール部材６（及びバックアップリング７）が、当該溝部５における溝の浅い部分に移動するために、流体が移動するための隙間が狭くなる。
【００８５】
このため、圧力室となる部屋２１から非圧力室となる部屋２２への流体の移動は主としてピストン３に設けられたオリフィス通路９のみとなるため、流体の移動が制限され、その際に生じる抵抗力によって、ピストン３は前記Ａの方向とは逆方向への抵抗力を受けることから、運動エネルギーが減衰され、ダンパ効果が得られる仕組みとなっている。
【００８６】
一方、図４（ｂ）に示すように、ピストン３に対して図中Ｂの方向に力が加えられると、溝部５に嵌入されたシール部材６（及びバックアップリング７）が、当該溝部５における溝の深い部分に移動するために、流体が移動するための隙間が広くなる。
【００８７】
このため、流体が当該隙間及びオリフィス通路９を通過して、圧力室となる部屋２２から圧力室部屋２１へ移動することが可能となり、その際に殆んど抵抗力が生じないことから、ピストン３の動きがスムーズになる。
【００８８】
即ち、本実施例にかかる本発明のダンパ装置１においては、ピストン３に対してオリフィス通路９を設けていることから、シール部材６が流体の移動するための隙間を完全に塞いでも、前記オリフィス通路９を介して圧力室から非圧力室へ一定量の流体が移動可能となるのであり、これより、ダンパ効果が過剰にならずに、所望のダンパ効果を得ることができるのである。
【実施例３】
【００８９】
図５は、実施例３に係る本発明のダンパ装置１を示す模式図であり、このダンパ装置１は、流体を注入したケーシング２、ピストン３及びピストンロッド４からなる直線運動式のダンパ装置１である。
【００９０】
図５（ｃ）の斜視図に示すように、本実施例に係る本発明のダンパ装置１におけるピストン３には、その側面周囲にシール部材嵌入用の溝部５が設けられており、当該溝部５にはシール部材６としてのＯ−リング６及びバックアップリング７が嵌入される。
【００９１】
又、本実施例においては、前記溝部５の形状につき、溝幅を前記シール部材６の厚みより幅広にすると共に、当該溝部５の底部を前記ピストン３の長さ方向へ沿うテーパ状としている。
【００９２】
更に、本実施例にかかる本発明のダンパ装置１においては、ピストンロッド４がピストン３を貫通した状態でナット８を用いて固定することにより、一定以上の接続強度を確保したものである。
【００９３】
加えて、本実施例においては、溝部５における溝の浅い方に位置するピストン３の端面から溝部５におけるテーパ面の中程辺りに向かって貫通するオリフィス通路９が設けられている。
【００９４】
更に、本実施例においては、バイパス通路１０として、ピストン３の側面の複数箇所に切り欠き１０１を設けると共に溝部５における溝の深い方に位置するピストン３の端面から溝部５の側面に向かって貫通孔１０２が設けられている。
【００９５】
即ち、図５に示す本実施例に係るダンパ装置１は、ピストン３にバイパス通路１０（切り欠き１０１及び貫通孔１０２）を設けた点以外は、実施例２と同様のものといえる。
【００９６】
そして、図５（ａ）に示すように、本実施例に係るダンパ装置１は、ピストン３に対して図中Ａの方向に力が加えられると、溝部５に嵌入されたシール部材６が、当該溝部５における溝の浅い部分に移動するために、流体が移動するための隙間が狭くなる。
【００９７】
このため、圧力室となる部屋２１から非圧力室となる部屋２２への流体の移動は主としてピストン３に設けられたオリフィス通路９のみとなるため、流体の移動が制限され、その際に生じる抵抗力によって、ピストン３は前記Ａの方向とは逆方向への抵抗力を受けることから、運動エネルギーが減衰され、ダンパ効果が得られる仕組みとなっている。
【００９８】
一方、図５（ｂ）に示すように、ピストン３に対して図中Ｂの方向に力が加えられると、溝部５に嵌入されたシール部材６が、当該溝部５における深い部分に移動するために、流体が移動するための隙間が広くなる。
【００９９】
又、ピストン３に設けたバイパス通路１０（切り欠き１０１及び貫通孔１０２）が開放状態となるため、より一層流体が移動するための隙間を確保することができる。
【０１００】
このため、流体が当該隙間及びオリフィス通路９を通過して、圧力室となる部屋２２から非圧力室となる部屋２１へ移動することが可能となり、その際に殆んど抵抗力が生じないことから、ピストン３の動きがスムーズになる。
【０１０１】
即ち、本実施例にかかる本発明のダンパ装置１においては、ピストン３に対してオリフィス通路９を設けていることから、シール部材が流体の移動するための隙間を完全に塞いでも、前記オリフィス通路を介して圧力室から非圧力室へ一定量の流体が移動可能となるのであり、これより、ダンパ効果が過剰にならずに、所望のダンパ効果を得ることができるのである。
【０１０２】
又、ピストン３に対してバイパス通路１０（切り欠き１０１及び貫通孔１０２）を設けているから、流体の移動がより一層スムーズになるのである。
【実施例４】
【０１０３】
図６は、実施例４に係る本発明のダンパ装置１を示す模式図であり、このダンパ装置１は、流体を注入したケーシング２、ピストン３及びピストンロッド４からなる直線運動式のダンパ装置１である。
【０１０４】
図６（ｃ）の斜視図に示すように、本実施例に係る本発明のダンパ装置１におけるピストン３には、その側面周囲にシール部材嵌入用の溝部５が設けられており、当該溝部５にはシール部材６としてのＯ−リング６及びバックアップリング７が嵌入される。
【０１０５】
又、本実施例においては、前記溝部５の形状につき、溝幅を前記シール部材６の厚みより幅広にすると共に、当該溝部５の底部を前記ピストン３の長さ方向へ沿うテーパ状としている。
【０１０６】
更に、本実施例にかかる本発明のダンパ装置１においては、ピストンロッド４がピストン３を貫通した状態でナット８を用いて固定することにより、一定以上の接続強度を確保したものである。
【０１０７】
加えて、本実施例においては、溝部５における溝の浅い方に位置するピストン３の端面から溝部５におけるテーパ面の中程辺りに向かって貫通するオリフィス通路９が設けられている。
【０１０８】
又、本実施例においては、バイパス通路１０として、ピストン３の側面の複数箇所に切り欠き１０１を設けると共に溝部５における溝の深い方に位置するピストン３の端面から溝部５の側面に向かって貫通孔１０２が設けられている。
【０１０９】
更に、図６に示す本実施例に係るダンパ装置１は、ピストン３に設けた溝部５のテーパ面の先細る向きが、ピストンロッド４の方向に向かっており、即ち、前記実施例３とはテーパ面の先細る向きが間逆になったものといえる。
【０１１０】
そして、図６（ａ）に示すように、本実施例に係るダンパ装置は、ピストン３に対して図中Ａの方向に力が加えられると、溝部５に嵌入されたシール部材６（及びバックアップリング７）が、当該溝部５における溝の深い部分に移動するために、流体が移動するための隙間が広くなる。
【０１１１】
又、ピストン３に設けたバイパス通路１０（切り欠き１０１及び貫通孔１０２）が開放状態となるため、より一層流体が移動するための隙間が確保される。
【０１１２】
このため、流体が当該隙間及びオリフィス通路９を通過して、圧力室となる部屋２１から非圧力室となる部屋２２へ移動することが可能となり、その際に殆んど抵抗力が生じないことから、ピストン３の動きがスムーズになる。
【０１１３】
一方、図６（ｂ）に示すように、ピストン３に対して図中Ｂの方向に力が加えられると、溝部５に嵌入されたシール部材６（及びバックアップリング７）が、当該溝部５における溝の浅い部分に移動するために、流体が移動するための隙間が狭くなる。
【０１１４】
このため、圧力室となる部屋２２から非圧力室となる部屋２１への流体の移動は主としてピストン３に設けられたオリフィス通路９のみとなるため、流体の移動が制限され、ピストン３は前記Ａの方向とは逆方向への抵抗力を受けることから、運動エネルギーが減衰され、ダンパ効果が得られる仕組みとなっている。
【０１１５】
即ち、本実施例にかかる本発明のダンパ装置１は、ピストンロッド４を引いた際にダンパ効果が生じるように、ピストン３における溝部５のテーパ面をピストンロッド４の方向に向かって先細るように設けてなるものであり、ピストンロッド４を引っ張る力とダンパ効果による制動力がピストン３とピストンロッド４の接続位置に集中して掛かることから、ピストンロッド４がピストン３を貫通した状態でナット８を用いて固定し、一定以上の接続強度を確保したものである。
【実施例５】
【０１１６】
図７は、実施例５に係る本発明の開閉機構１１を示す模式図（（ａ）閉状態の斜視図、（ｂ）開状態の側面図）である。
【０１１７】
この開閉機構１１は、金具１２を介して、基部１３に対して蓋材１４を回動可能に取り付け、蓋材１４が開閉可能となるように構成している。
【０１１８】
又、この開閉機構１１においては、前記基部１３及び前記蓋材１４にそれぞれアーム１５ａとアーム１５ｂの端部を枢着すると共に、アーム１５ａのもう一端とアーム１５ｂのもう一端から中心へ向かって少し入った辺りを枢着することにより、アーム１５ｂの端部を枢着部より若干突出させ、蓋材１４の開閉に応じて２本のアーム１５（１５ａ、１５ｂ）が伸縮するリンク機構を備えており、更に、このリンク機構には、前記２本のアーム１５（１５ａ、１５ｂ）の伸縮に応じて、ピストンロッド４が伸縮する本発明のダンパ装置１が備えられている。
【０１１９】
即ち、本実施例の開閉機構１１は、本発明のダンパ装置１を備えてなるものであり、本発明のダンパ装置１が小型化可能なことから、当該ダンパの備え付けに要するスペースが比較的小さくなるのである。
【０１２０】
なお、本実施例の開閉機構１１においては、ダンパ装置１におけるピストンロッド４の端部をアーム１５ａの基部１３側端部近辺に枢着すると共に当該ダンパ装置１におけるケーシング２の端部をアーム１５ｂにおける突出した端部に枢着することにより、前記２本のアーム１５（１５ａ、１５ｂ）が伸びた（広がった）際にはピストンロッド４が縮み、一方、前記２本のアーム１５（１５ａ、１５ｂ）が縮んだ（狭まった）際にはピストンロッド４が伸びるようにダンパ装置１が備えたものであるから、実施例１〜３で示したようなピストンロッド４を押した際にダンパ効果が生じるダンパ装置１を用いた場合は、蓋材１４を開く際に強いダンパ効果が生じるのであり、逆に、実施例４に示したようなピストンロッド４を引いた際にダンパ効果が生じるダンパ装置を用いた場合は、蓋材１４を閉める際に強いダンパ効果が生じるのである。
【実施例６】
【０１２１】
図８は、実施例６に係る本発明の開閉機構１１を示す模式図（（ａ）閉状態の斜視図、（ｂ）開状態の側面図）である。
【０１２２】
この開閉機構１１は、金具１２を介して、基部１３に対して蓋材１４を回動可能に取り付け、蓋材１４が開閉可能となるように構成している。
【０１２３】
又、この開閉機構１１においては、前記基部１３及び前記蓋材１４にそれぞれアーム１５ａとアーム１５ｂの端部を枢着すると共に、当該アーム１５ａとアーム１５ｂのもう一端同士を枢着することにより、蓋材１４の開閉に応じて２本のアーム１５（１５ａ、１５ｂ）が伸縮するリンク機構を備えており、更に、このリンク機構には、前記２本のアーム１５（１５ａ、１５ｂ）の伸縮に応じて、ピストンロッド４が伸縮する本発明のダンパ装置１が備えられている。
【０１２４】
即ち、本実施例の開閉機構１１は、本発明のダンパ装置を備えてなるものであり、本発明のダンパ装置１が小型化可能なことから、当該ダンパの備え付けに要するスペースが比較的小さくなるのである。
【０１２５】
なお、本実施例の開閉機構１１においては、ダンパ装置１におけるピストンロッド４の端部をアーム１５ａの端部近辺に枢着すると共に当該ダンパ装置１におけるケーシング２の端部をアーム１５ｂの中ほどに枢着することにより、前記２本のアーム１５（１５ａ、１５ｂ）が伸びた（広がった）際にはピストンロッド４が伸び、一方、前記２本のアーム１５（１５ａ、１５ｂ）が縮んだ（狭まった）際にはピストンロッド４が縮むようにダンパ装置１が備えられてなるものであるから、実施例１〜３で示したようなピストンロッド４を押した際にダンパ効果が生じるダンパ装置１を用いた場合は、蓋材１４を閉める際に強いダンパ効果が生じるのであり、逆に、実施例４に示したようなピストンロッド４を引いた際にダンパ効果が生じるダンパ装置を用いた場合は、蓋材１４を開く際に強いダンパ効果が生じるのである。
【実施例７】
【０１２６】
図９は、実施例７に係る本発明の開閉機構１１を示す模式図（（ａ）閉状態の側面図、（ｂ）開状態の側面図）である。
【０１２７】
この開閉機構１１は、基部１３に対して蓋材１４を回動可能に枢着し、蓋材１４が開閉可能となるように構成している。
【０１２８】
又、この開閉機構１１においては、前記基部１３及び前記蓋材１４にそれぞれアーム１５ａとアーム１５ｂの端部を枢着すると共に、当該アーム１５ａとアーム１５ｂのもう一端同士を枢着することにより、蓋材１４の開閉に応じて２本のアーム１５（１５ａ、１５ｂ）が伸縮するリンク機構を備えており、更に、このリンク機構には、前記２本のアーム１５（１５ａ、１５ｂ）の伸縮に応じて、ピストンロッド４が伸縮する本発明のダンパ装置１が備えられている。
【０１２９】
即ち、本実施例の開閉機構１１は、本発明のダンパ装置を備えてなるものであり、本発明のダンパ装置１が小型化可能なことから、当該ダンパの備え付けに要するスペースが比較的小さくなるのである。
【０１３０】
なお、本実施例の開閉機構１１においては、ダンパ装置１におけるピストンロッド４の端部をアーム１５ａの端部に枢着すると共に当該ダンパ装置１におけるケーシング２の端部をアーム１５ｂの中ほどに枢着することにより、前記２本のアーム１５（１５ａ、１５ｂ）が伸びた（広がった）際にピストンロッド４が伸び、一方、前記２本のアーム１５（１５ａ、１５ｂ）が縮んだ（狭まった）際にピストンロッド４が縮むようにダンパ装置１が備えられてなるものであるから、実施例１〜３で示したようなピストンロッド４を押した際にダンパ効果が生じるダンパ装置１を用いた場合は、蓋材１４を閉める際に強いダンパ効果が生じるのであり、逆に、実施例４に示したようなピストンロッド４を引いた際にダンパ効果が生じるダンパ装置を用いた場合は、蓋材１４を開く際に強いダンパ効果が生じるのである。
【実施例８】
【０１３１】
図１０は、実施例８に係る本発明の開閉機構１１を示す模式図（（ａ）閉状態の斜視図、（ｂ）開状態の側面図）である。
【０１３２】
この開閉機構１１は、金具１２を介して、基部１３に対して蓋材１４を回動可能に取り付け、蓋材１４が開閉可能となるように構成している。
【０１３３】
又、この開閉機構１１においては、基部１３に対して本発明のダンパ装置１におけるピストンロッド４の端部を枢着すると共に、蓋材１４に対して当該ダンパ装置１におけるケーシング２の端部を枢着することにより、蓋材１４の開閉に応じて当該ダンパ装置１のピストンロッドが伸縮するように構成している。
【０１３４】
即ち、本実施例の開閉機構１１は、リンク機構などを介することなく、直接、本発明のダンパ装置１を備えてなるものであり、本発明のダンパ装置１が小型化可能なことと相成ってより一層、当該ダンパ装置１の備え付けに要するスペースが比較的小さくなるのである。
【０１３５】
なお、本実施例の開閉機構１１においては、蓋材１４が開く際にピストンロッド４が伸び、一方、蓋材１４が閉まる際にピストンロッド４が縮むようにダンパ装置１が備えられてなるものであるから、実施例１〜３で示したようなピストンロッド４を押した際にダンパ効果が生じるダンパ装置１を用いた場合は、蓋材１４を閉める際に強いダンパ効果が生じるのであり、逆に、実施例４に示したようなピストンロッド４を引いた際にダンパ効果が生じるダンパ装置を用いた場合は、蓋材１４を開く際に強いダンパ効果が生じるのである。
【図面の簡単な説明】
【０１３６】
【図１】図１は、従来公知の直線運動式のダンパ装置を示す模式図である。
【図２】図２は、従来公知の回転運動式のダンパ装置を示す模式図である。
【図３】図３は、実施例１に係る本発明のダンパ装置を示す模式図である。
【図４】図４は、実施例２に係る本発明のダンパ装置を示す模式図である。
【図５】図５は、実施例３に係る本発明のダンパ装置を示す模式図である。
【図６】図６は、実施例４に係る本発明のダンパ装置を示す模式図である。
【図７】図７は、実施例５に係る本発明の開閉機構を示す模式図である。
【図８】図８は、実施例６に係る本発明の開閉機構を示す模式図である。
【図９】図９は、実施例７に係る本発明の開閉機構を示す模式図である。
【図１０】図１０は、実施例８に係る本発明の開閉機構を示す模式図である。
【符号の説明】
【０１３７】
１  ダンパ装置
２  ケーシング
３  ピストン
４  ピストンロッド
５  溝部
６  シール部材
７  バックアップリング
８  ナット
９  オリフィス通路
１０  バイパス通路
１１  開閉機構
１２  金具
１３  基部
１４  蓋材
１５  アーム
【図１】
2006300158.tif 000003
【図２】
2006300158.tif 000004
【図３】
2006300158.tif 000005
【図４】
2006300158.tif 000006
【図５】
2006300158.tif 000007
【図６】
2006300158.tif 000008
【図７】
2006300158.tif 000009
【図８】
2006300158.tif 000010
【図９】
2006300158.tif 000011
【図１０】
2006300158.tif 000012